(57)【要約】【課題】映像の投射表示に必要とされる各種の設定操作を暗闇の中でも容易に行い得るプロジェクタを提供する。【解決手段】複数の操作ボタンが配列された操作部１５と、操作ボタンの操作に応じてプロジェクタ１の動作を制御する主制御部１７とを備え、操作部１５は、その操作ボタンの近傍または操作ボタン内に各操作ボタンに対応して配設されて主制御部１７の制御に従って点灯する操作ボタン案内用点灯手段を備え、主制御部１７は、プロジェクタ１の動作状態に応じて、各操作ボタンのうちから所定の条件を満たす操作ボタンを特定して、特定した操作ボタンに対応して配設された操作ボタン案内用点灯手段を点灯させる。【選択図】        図１
2004151658.tif 000002
【特許請求の範囲】
【請求項１】
複数の操作ボタンが配列された第１の操作部と、前記操作ボタンの操作に応じて当該プロジェクタの動作を制御する制御部とを備えたプロジェクタであって、
前記第１の操作部は、その操作ボタンの近傍または当該操作ボタン内に当該各操作ボタンに対応して配設されて前記制御部の制御に従って点灯する操作ボタン案内用点灯手段を備え、
前記制御部は、当該プロジェクタの動作状態に応じて、前記各操作ボタンのうちから所定の条件を満たす前記操作ボタンを特定して、当該特定した操作ボタンに対応して配設された前記操作ボタン案内用点灯手段を点灯させるプロジェクタ。
【請求項２】
前記制御部は、予め決められた操作手順情報に従い、電源投入時点から映像投射表示の開始までの間において次に操作されるべき前記操作ボタンを前記所定の条件を満たす操作ボタンとして順に特定して当該各操作ボタンに対応して配設された前記操作ボタン案内用点灯手段をその操作されるべき順序に従って点灯させる請求項１記載のプロジェクタ。
【請求項３】
当該プロジェクタの本体部とは別体に構成されて前記第１の操作部における前記各操作ボタンと同等の機能をそれぞれ割り当てた複数の操作ボタンが配列された第２の操作部を備え、
当該第２の操作部は、その操作ボタンの近傍または当該操作ボタン内に当該各操作ボタンに対応して配設されて前記制御部の制御に従って点灯する操作ボタン案内用点灯手段を備え、
前記制御部は、前記所定の条件を満たす操作ボタンを特定した際に、前記第１および第２の操作部における当該特定した各操作ボタンに対応して配設された前記各操作ボタン案内用点灯手段を点灯させる請求項１または２記載のプロジェクタ。
【発明の詳細な説明】
【０００１】
【発明の属する技術分野】
本発明は、複数の操作ボタンが配列された操作部と、操作ボタンの操作に応じてプロジェクタの動作を制御する制御部とを備えたプロジェクタに関するものである。
【０００２】
【従来の技術】
この種のプロジェクタとして、特開平１１−１０９２１４号公報に開示されている液晶プロジェクタが従来から知られている。この液晶プロジェクタは、高輝度光源（１）から光を射出して集光レンズ部（２）によって平行光線に変換した後に、ＬＣＤ（３）で光変調して投射レンズ（４）から射出することによってスクリーン（Ｓ）に各種映像を投射表示する。この液晶プロジェクタの使用に際しては、まず、操作部（９）のソフト電源スイッチ（９ａ）を操作することにより、液晶プロジェクタを起動させる。この際に、一般的なプロジェクタでは、高輝度光源に対する通電が開始され、その後にプレヒートが完了した時点で高輝度光源が点灯させられる。次に、操作部の設定入力部（９ｂ）を操作してスクリーンにメニュー画面を投射表示させる。次いで、設定入力部の各操作ボタンを操作することにより、フォーカス位置やズームレンズ焦点などを設定する。この後、信号入力部に接続された外部装置によって映像信号が出力されることにより、その映像信号に対応する映像がスクリーンに投射表示される。
【０００３】
【特許文献１】
特開平１１−１０９２１４号公報（第２−３頁）
【０００４】
【発明が解決しようとする課題】
ところが、この従来の液晶プロジェクタには、以下の問題点がある。すなわち、従来のプロジェクタでは、ソフト電源スイッチを操作して起動させた後に、設定入力部の各操作ボタンを操作してスクリーンにメニュー画面を投射表示させ、そのメニュー画面を参照しつつ各種の設定操作を行う必要がある。この場合、今日のプロジェクタは、複数の映像信号入力チャネルを備えているため、投射表示させる映像についての映像信号が入力されている映像信号入力チャネル（入力ソース）を選択操作する必要がある。また、今日のプロジェクタは、プロジェクタとスクリーンとの位置関係に起因してスクリーンに投射表示されている表示画面が台形状に歪んでいるときに、この表示画面を矩形状に補正する台形歪み補正機能を備えている。したがって、この種のプロジェクタには、前述したフォーカス位置やズームレンズ焦点などの設定操作を行うための操作ボタンに加えて、入力ソースの切り替えの操作や、台形歪み補正処理の設定に関する操作などの各種の設定操作を行うための多数の操作ボタンが配設されている。このため、従来のプロジェクタには、操作に不慣れな者にとっては、これらの多数の操作ボタンのうちから操作すべき操作ボタンを特定するのが極めて困難であるという問題点が存在する。
【０００５】
また、この種のプロジェクタによってスクリーンにメニュー画面を投射表示させるには、周囲をある程度暗くする必要がある。このため、従来のプロジェクタには、操作方法に精通している者であったとしても、操作すべき操作ボタンの位置を暗闇の中で特定するのが困難であるという問題点も存在する。さらに、従来のプロジェクタでは、電源投入時点から映像投射表示の開始までの間に上記の各種設定操作（初期設定操作）を予め決められた順序に従って行う必要がある。したがって、操作に不慣れな者は、例えば操作マニュアル等を参照しつつ設定操作を行う必要があり、暗闇の中でこの作業を行うのが極めて困難であるという問題点が存在する。
【０００６】
本発明は、かかる問題点に鑑みてなされたものであり、各種映像の投射表示に必要とされる各種の設定操作を暗闇の中でも容易に行い得るプロジェクタを提供することを主目的とする。
【０００７】
【課題を解決するための手段】
上記目的を達成すべく本発明に係るプロジェクタは、複数の操作ボタンが配列された第１の操作部と、前記操作ボタンの操作に応じて当該プロジェクタの動作を制御する制御部とを備えたプロジェクタであって、前記第１の操作部は、その操作ボタンの近傍または当該操作ボタン内に当該各操作ボタンに対応して配設されて前記制御部の制御に従って点灯する操作ボタン案内用点灯手段を備え、前記制御部は、当該プロジェクタの動作状態に応じて、前記各操作ボタンのうちから所定の条件を満たす前記操作ボタンを特定して、当該特定した操作ボタンに対応して配設された前記操作ボタン案内用点灯手段を点灯させる。なお、本発明における「点灯」とは、所定時間の連続点灯だけでなく、所定時間間隔で点灯および消灯を繰り返す点滅も含む概念である。
【０００８】
また、本発明に係るプロジェクタは、上記のプロジェクタにおいて、前記制御部は、予め決められた操作手順情報に従い、電源投入時点から映像投射表示の開始までの間において次に操作されるべき前記操作ボタンを前記所定の条件を満たす操作ボタンとして順に特定して当該各操作ボタンに対応して配設された前記操作ボタン案内用点灯手段をその操作されるべき順序に従って点灯させる。
【０００９】
さらに、本発明に係るプロジェクタは、上記のプロジェクタにおいて、当該プロジェクタの本体部とは別体に構成されて前記第１の操作部における前記各操作ボタンと同等の機能をそれぞれ割り当てた複数の操作ボタンが配列された第２の操作部を備え、当該第２の操作部は、その操作ボタンの近傍または当該操作ボタン内に当該各操作ボタンに対応して配設されて前記制御部の制御に従って点灯する操作ボタン案内用点灯手段を備え、前記制御部は、前記所定の条件を満たす操作ボタンを特定した際に、前記第１および第２の操作部における当該特定した各操作ボタンに対応して配設された前記各操作ボタン案内用点灯手段を点灯させる。
【００１０】
【発明の実施の形態】
以下、添付図面を参照して、本発明に係るプロジェクタの好適な発明の実施の形態について説明する。
【００１１】
最初に、プロジェクタ１の構成について、図面を参照して説明する。
【００１２】
図１に示すプロジェクタ１は、ビデオテープデッキおよびＤＶＤプレーヤ等の各種映像機器やパーソナルコンピュータなどの外部装置（以下、「入力ソース」ともいう）によって出力される映像信号に基づく各種映像を投射表示可能に構成された装置であって、プロジェクタ本体２およびリモートコントローラ３を備えている。プロジェクタ本体２は、映像信号入力部１１、投射機構１２、フォーカス状態検出部１３、傾き検出部１４、操作部１５、通信部１６、主制御部１７および記憶部１８を備えている。映像信号入力部１１は、一例として、複数のアナログ映像信号入力チャネルと、複数のディジタル映像信号入力チャネルとを備え（以下、「入力チャネル」ともいう）、各入力チャネル毎に信号ケーブル等を介して入力ソースをそれぞれ接続可能に構成されている。また、映像信号入力部１１は、信号ケーブル等を介して入力された映像信号Ｓ１を投射機構１２に出力すると共に、映像信号Ｓ１が入力されている入力チャネルを特定可能な情報を主制御部１７に出力する。
【００１３】
投射機構１２は、画像表示光学部２１、駆動機構２２、表示制御部２３を備えている。画像表示光学部２１は、光源ランプ２４と、光源ランプ２４によって射出された白色光を陰影や着色が施された投射光Ｌに変調する変調手段２５（一例として、液晶パネル、入射側偏光板および射出側偏光板を備えた液晶ライトバルブ）と、投射光Ｌを拡大して投射する投射レンズ２６とを備えている。この場合、図２に示すように、投射レンズ２６は、フォーカスレンズ２６ａおよびズームレンズ２６ｂなどの複数のレンズを備えている。駆動機構２２は、表示制御部２３の制御下でフォーカスレンズ２６ａおよびズームレンズ２６ｂを移動させることにより、スクリーンに投射表示される映像のフォーカシングおよびズーミングを実行する。表示制御部２３は、光源ランプ２４の点灯および消灯についての制御、変調手段２５による光変調についての制御、および駆動機構２２によるフォーカシングおよびズーミングについての制御を実行する。また、表示制御部２３は、光源ランプ２４を点灯させた際に、主制御部１７に点灯完了信号Ｓ２を出力する。さらに、表示制御部２３は、主制御部１７の制御下で変調手段２５による光変調をプロジェクタ本体２の傾き度合いに応じて補正することにより、スクリーンに投射表示される映像を矩形状に補正する既知の台形歪み補正処理を実行する。
【００１４】
フォーカス状態検出部１３は、スクリーンに投射表示された映像のフォーカスが合っているか否かを検出して、フォーカスが合っているときに合焦信号Ｓ３を出力する。傾き検出部１４は、プロジェクタ本体２の傾きを検出して傾き検出信号Ｓ４を出力する。操作部１５は、本発明における第１の操作部に相当し、図３に示すように、ランプＯＮボタン３１、ソース切替ボタン３２、フォーカスボタン３３、キーストーンボタン３４、メニューボタン３５、カーソル移動ボタン３６ａ〜３６ｄ、ＯＫボタン３７およびキャンセルボタン３８などの複数の操作ボタンを備えている。この場合、操作部１５の各操作ボタンには、本発明における操作ボタン案内用点灯手段に相当する発光素子（図示せず）が内蔵されている。この場合、各発光素子は、暗闇の中であっても操作ボタンの位置をオペレータに対して認識可能とするものであって、その点灯および消灯が主制御部１７によって制御される。また、操作部１５は、各操作ボタンが操作されたときに、いずれの操作ボタンが操作されたかを特定する操作信号Ｓ５ａを主制御部１７に出力する。通信部１６は、リモートコントローラ３との間で一例として赤外線通信等によって操作信号Ｓ５ｂおよび点灯制御信号Ｓ６ｂを送受信可能に構成されている。
【００１５】
主制御部１７は、本発明における制御部に相当し、プロジェクタ本体２およびリモートコントローラ３を統括的に制御する。具体的には、主制御部１７は、ランプＯＮボタン３１が操作された際に表示制御部２３に対して光源ランプ２４を点灯させる制御、フォーカス状態検出部１３によって出力された合焦信号Ｓ３に基づいて表示制御部２３に対して駆動機構２２を駆動させる制御、傾き検出部１４によって出力された傾き検出信号Ｓ４に基づいて表示制御部２３に対して台形歪み補正処理を実行させる制御などの各種の制御を実行する。また、主制御部１７は、プロジェクタ１の動作状態（一例として、電源投入直後で初期設定を要する状態や、投射機構１２によって映像を投射表示している状態などの各動作状態）に応じて、操作部１５に対して点灯制御信号Ｓ６ａを出力することによって各操作ボタンに内蔵されている発光素子を点灯させる制御を実行する。さらに主制御部１７は、通信部１６によるリモートコントローラ３との間の通信の制御を実行する。記憶部１８は、主制御部１７の動作プログラムや、プロジェクタ１の操作手順に関する操作手順データＤ（本発明における操作手順情報）を記憶する。この場合、操作手順データＤには、プロジェクタ本体２の電源投入時からスクリーンに対する映像の投射表示の開始までの間に必要な各種の設定操作の手順を特定可能なデータが含まれている。
【００１６】
リモートコントローラ３は、本発明における第２の操作部に相当し、図４に示すように、操作部４５、通信部４６および制御部４７を備えている。操作部４５は、図５に示すように、ランプＯＮボタン５１、ソース切替ボタン５２、フォーカスボタン５３、キーストーンボタン５４、メニューボタン５５、カーソル移動ボタン５６ａ〜５６ｄ、ＯＫボタン５７およびキャンセルボタン５８などの複数の操作ボタンを備えている。この場合、操作部４５の各操作ボタンには、プロジェクタ本体２における操作部１５の各操作ボタンと同等の機能がそれぞれ割り当てられている。また、操作部４５の各操作ボタンには、操作部１５における各操作ボタンと同様にして、本発明における操作ボタン案内用点灯手段に相当する発光素子（図示せず）が内蔵されている。この場合、各発光素子は、その点灯および消灯が主制御部１７の制御下で制御部４７によって実行される。通信部４６は、プロジェクタ本体２における通信部１６との間で赤外線通信等によって操作信号Ｓ５ｂおよび点灯制御信号Ｓ６ｂを送受信可能に構成されている。制御部４７は、操作部４５の操作ボタンが操作されたときに、通信部４６に対していずれの操作ボタンが操作されたかを特定可能な操作信号Ｓ５ｂをプロジェクタ本体２に向けて送信させると共に、プロジェクタ本体２によって送信された点灯制御信号Ｓ６ｂが通信部４６によって受信されたときに、その点灯制御信号Ｓ６ｂに従って操作部４５の各操作ボタン内の発光素子を点灯または消灯させる。
【００１７】
次に、プロジェクタ１の使用方法について、図面を参照して説明する。
【００１８】
前述したように、このプロジェクタ１を含む一般的なプロジェクタでは、スクリーンに各種の映像を投射表示するために、電源の投入後に各種の設定操作（初期設定操作）を所定の順序で実行する必要がある。具体的には、例えばこのプロジェクタ１では、プロジェクタ本体２を設置して電源を投入した後に、光源ランプ２４を点灯させ、入力ソース（投射表示する映像信号Ｓ１を出力している外部装置が接続された入力チャネル）を選択し、スクリーンに投射表示される映像のフォーカスを合わせ、必要に応じて台形歪みを補正するという一連の設定操作を行うことによって映像の投射表示についての準備が整う。この場合、プロジェクタ１の操作に不慣れな者にとっては、この一連の設定操作がやや困難のため、このプロジェクタ１では、主制御部１７が、記憶部１８に記憶されている操作手順データＤに基づいて、設定操作を行うための操作ボタンを順に特定して、その操作ボタン内の発光素子を点灯させることによって操作手順を案内する。
【００１９】
具体的には、まず、図示しない電源スイッチを操作することによってプロジェクタ１を起動させる。この際に、起動直後のプロジェクタ１では、操作部１５の各操作ボタン内の発光素子、およびリモートコントローラ３における操作部４５の各操作ボタン内の発光素子が消灯している。また、電源の投入に伴い、主制御部１７が投射機構１２に対して初期画面（図示せず）をスクリーンに投射表示させる。次に、主制御部１７は、図６に示す初期設定時ボタン操作案内処理６０を開始する。この初期設定時ボタン操作案内処理６０では、主制御部１７は、まず、表示制御部２３によって点灯完了信号Ｓ２が出力されているか否かに基づき、光源ランプ２４の点灯が完了しているか否かを判別する（ステップ６１）。この際に、プロジェクタ１が起動直後で光源ランプ２４が点灯させられていないため、主制御部１７は、光源ランプ２４の点灯が完了していないと判別して、次に操作すべき操作ボタン（本発明における「所定の条件を満たす操作ボタン」）として操作部１５，４５のランプＯＮボタン３１，５１を特定し、両ボタン３１，５１内の発光素子をそれぞれ点灯させる（ステップ６２）。なお、以下の説明では、主制御部１７によって各操作ボタン内の発光素子が点灯または消灯させられることを操作ボタンの点灯または消灯ともいう。
【００２０】
より具体的には、主制御部１７は、ランプＯＮボタン３１を点灯させる旨を指示する点灯制御信号Ｓ６ａを操作部１５に出力する。同時に、主制御部１７は、通信部１６に対して、ランプＯＮボタン５１を点灯させる旨を指示する点灯制御信号Ｓ６ｂをリモートコントローラ３に向けて送信させる。これに応じて、リモートコントローラ３では、制御部４７が通信部４６を介して受信した点灯制御信号Ｓ６ｂに基づき、操作部４５のランプＯＮボタン５１を点灯させる。これにより、ランプＯＮボタン３１，５１が暗闇の中で点灯させられる。この際に、オペレータは、ランプＯＮボタン３１，５１の点灯によって操作を促されている操作ボタンの位置を暗闇の中であっても正確かつ容易に特定できるため、ランプＯＮボタン３１，５１のいずれかを操作する。この際に、例えばランプＯＮボタン３１が操作されたときには、操作部１５によって所定の操作信号Ｓ５ａが出力され、これに応じて、主制御部１７が表示制御部２３に対して光源ランプ２４を点灯させる。また、表示制御部２３は、光源ランプ２４を点灯させた後に、主制御部１７に点灯完了信号Ｓ２を出力する。なお、以下の説明においては、操作信号Ｓ５ａ，Ｓ５ｂおよび点灯制御信号Ｓ６ａ，Ｓ６ｂの出力に関する説明を省略する。
【００２１】
一方、主制御部１７は、ステップ６１に戻り、光源ランプ２４の点灯が完了したと判別して、ランプＯＮボタン３１，５１を消灯させると共に（ステップ６３）、入力ソースの選択が完了しているか否かを判別する（ステップ６４）。この際に、主制御部１７は、入力ソースの選択が完了していないと判別して、次に操作すべき操作ボタン（本発明における「所定の条件を満たす操作ボタン」）としてソース切替ボタン３２，５２およびＯＫボタン３７，５７の４つのボタンを特定して各操作ボタンをそれぞれ点灯させる（ステップ６５）。この場合、このプロジェクタ１では、映像信号入力部１１のいずれかの入力チャネルに映像信号Ｓ１が既に入力されているときには、主制御部１７が、映像信号入力部１１によって出力された情報に基づき、その入力チャネルを暫定的に自動選択すると共に、その自動選択の確定を促すために、ソース切替ボタン３２，５２を点灯させたままでＯＫボタン３７，５７を点滅させる。この際に、ＯＫボタン３７，５７のいずれかが操作されたときには、主制御部１７は、自動選択の結果（映像信号Ｓ１が入力されている入力チャネル）を映像表示用の入力ソースとして確定する。
【００２２】
また、各入力チャネルに映像信号Ｓ１が入力されていないとき、または上記の例において主制御部１７による自動選択以外の入力ソースを選択する際には、オペレータは、ソース切替ボタン３２，５２のいずれかを操作することにより、所望の入力ソース（入力チャネル）を選択する。この際には、ソース切替ボタン３２，５２の操作に伴い、主制御部１７は、投射機構１２に対して、例えば「入力ソース１」、「入力ソース２」・・「入力ソース４」との文字列をスクリーンに投射表示させる。また、オペレータは、所望する入力ソースを表す文字列がスクリーンに投射表示された際に、ＯＫボタン３７，５７のいずれかを操作する。これにより、入力ソースの選択が完了する。
【００２３】
次に、主制御部１７は、ステップ６４に戻って入力ソースの選択が完了したと判別して、ソース切替ボタン３２，５２およびＯＫボタン３７，５７の４つのボタンをそれぞれ消灯させる（ステップ６６）。次いで、主制御部１７は、フォーカス状態検出部１３による合焦信号Ｓ３の出力の有無を判別する（ステップ６７）。この場合、このプロジェクタ１では、フォーカス状態検出部１３がスクリーンに投射表示されている初期画面についてフォーカスを起動直後から所定時間おきにセンシングして、フォーカスが合っているときには主制御部１７に合焦信号Ｓ３を出力する。この場合、フォーカスが合っていないときには、フォーカス状態検出部１３によって合焦信号Ｓ３が出力されないため、主制御部１７は、合焦信号Ｓ３の出力がないと判別して、次に操作されるべき操作ボタン（本発明における「所定の条件を満たす操作ボタン」）としてフォーカスボタン３３，５３を特定して点灯させる（ステップ６８）。また、オペレータによってフォーカスボタン３３，５３のいずれかが操作されたときには、主制御部１７は、表示制御部２３に対して駆動機構２２を駆動させる。この際に、駆動機構２２は、表示制御部２３の制御下でフォーカスレンズ２６ａを移動させてフォーカスを合わせる。
【００２４】
次いで、主制御部１７は、ステップ６７に戻って合焦信号Ｓ３の出力有りと判別してフォーカスボタン３３，５３を消灯させると共に（ステップ６９）、台形補正歪みの実行の要否を判別する（ステップ７０）。この場合、このプロジェクタ１では、傾き検出部１４が起動直後からプロジェクタ本体２の傾きの有無を検出して傾き検出信号Ｓ４を主制御部１７に出力している。したがって、主制御部１７は、傾き検出部１４によって出力された傾き検出信号Ｓ４に基づき、台形歪み補正処理の実行を必要と判別したとき（プロジェクタ本体２が傾いていると判別したとき）には、次に操作すべき操作ボタン（本発明における「所定の条件を満たす操作ボタン」）としてキーストーンボタン３４，５４およびキャンセルボタン３８，５８の４つの操作ボタンを特定して点灯させる（ステップ７１）。同時に、主制御部１７は、投射機構１２に対して「台形歪み補正処理を実行しますか？」とのメッセージをスクリーンに投射表示させる。この際に、オペレータによってキーストーンボタン３４，５４のいずれかが操作されたときには、主制御部１７は、表示制御部２３に対して台形歪み補正処理を実行させる。
【００２５】
また、オペレータによってキャンセルボタン３８，５８のいずれかが操作されたとき（台形補正処理の必要なしと指示されたとき）、または、上記の例において表示制御部２３による台形歪み補正処理が完了したときには、主制御部１７は、ステップ７０に戻って台形補正補正処理の実行を不要と判別する。この際に、主制御部１７は、その時点で点灯している操作ボタンのすべてを消灯し（ステップ７２）、その後に、プロジェクタ１の動作中（映像の投射表示中）に操作される可能性の高い操作ボタン（使用頻度の高い操作ボタン：一例として、メニューボタン３５，５５およびランプＯＮボタン３１，５１）を本発明における「所定の条件を満たす操作ボタンとして特定して点灯させる（ステップ７３）。これにより、プロジェクタ１によって映像を投射表示する準備（初期設定）を完了して、この処理を終了する。
【００２６】
この後、入力ソースによって映像信号Ｓ１が出力されると、表示制御部２３が映像信号Ｓ１に基づいて変調手段２５に対して投射光Ｌを光変調させる。これにより、光源ランプ２４によって射出された投射光に陰影や着色が施された投射光Ｌが投射レンズ２６によって投射され、映像信号Ｓ１に基づく映像がスクリーンに投射表示される。また、映像の投射表示中に例えばメニューボタン３５，５５のいずれかが操作されたときには、主制御部１７は、メニュー画面（図示せず）中において所望の設定項目を選択させるためのカーソル移動ボタン３６ａ〜３６ｄ，５６ａ〜５６ｄ、ＯＫボタン３７，５７およびキャンセルボタン３８，５８を本発明における所定の条件を満たす操作ボタンとして特定して点灯させる。これにより、暗闇の中であっても各種の調整（一例として、画質調整や明るさ調整）を容易に行うことができる。
【００２７】
このように、このプロジェクタ１によれば、主制御部１７が、各操作ボタンのうちから例えばプロジェクタ１の動作中において操作される可能性の高い操作ボタンを所定の条件を満たす操作ボタンとして特定して、その操作ボタン内の発光素子を点灯させることにより、暗闇の中であっても操作に必要な操作ボタンの位置を正確かつ容易に認識させることができる。これにより、各種映像の投射表示に必要な各種の設定操作を暗闇の中であっても容易に行うことができる。
【００２８】
また、このプロジェクタ１によれば、電源投入時点から映像投射表示の開始までの間において主制御部１７が次に操作されるべき操作ボタンを順に特定してその操作ボタンに対応して配設された発光素子を操作されるべき順序に従って点灯させることにより、プロジェクタ１の操作に不慣れな者であっても暗闇の中において迅速かつ容易に各種の設定操作を実行することができる。
【００２９】
さらに、このプロジェクタ１によれば、主制御部１７が所定の条件を満たす操作ボタンを特定した際に、操作部１５，４５の双方の各操作ボタン内の発光素子をそれぞれ点灯させることにより、プロジェクタ本体２の操作部１５のみならず、リモートコントローラ３の操作部４５を操作することによる設定操作を暗闇の中であっても容易に行うことができる。したがって、オペレータがプロジェクタ本体２から遠く離れていたとしてもリモートコントローラ３を用いて設定操作を容易に行うことができるため、プロジェクタ１の利便性を飛躍的に向上させることができる。
【００３０】
なお、本発明は、上記した本発明の実施の形態に限定されない。例えば、本発明の実施の形態では、各操作ボタンを順に点灯させることによって電源投入後の初期設定に関する操作方法の一例を案内する初期設定時ボタン操作案内処理６０を実行する例について説明したが、本発明は、初期設定時における操作手順の案内のみならず、各種設定操作時における設定手順の案内に適用することができる。また、発光素子の点灯によって案内する操作ボタン（本発明における「所定の条件を満たす操作ボタン」）についても、上記本発明の実施の形態に例示した操作ボタンに限定されず、任意の操作ボタンを案内対象とすることができる。さらに、本発明の実施の形態で例示した初期設定時ボタン操作案内処理６０では、ステップ６５，６８，７１において操作ボタンを点灯させた後にステップ６４，６７，７０にそれぞれ戻って処理を続行しているが、本発明はこれに限定されず、ステップ６５，６８，７１において操作ボタンを点灯させた後に一旦ステップ６１に戻ってステップ６３，６４・・を順次実行する構成を採用することもできる。この構成によれば、例えば入力ソースの選択が完了した後に誤ってランプＯＮボタン３１，５１のいずれかが操作されたとき（光源ランプ２４を消灯させられたとき）であっても、ステップ６１に戻った際に光源ランプ２４の点灯が完了していないと判別してランプＯＮボタン３１，５１を点灯させることができる。これにより、オペレータに対して光源ランプ２４の点灯を指示する操作を促して光源ランプ２４を点灯させることができる。
【００３１】
また、本発明における操作ボタン案内用点灯手段は、本発明の実施の形態に例示した発光素子のみならず、電球などの各種の点灯手段で構成することができる。さらに、本発明の実施の形態では、各操作ボタン内に発光素子を内蔵させた例を説明したが、本発明はこれに限定されず、各操作ボタンの周囲に操作ボタンとは別個独立して発光素子を配設することもできる。また、本発明の実施の形態では、プロジェクタ本体２とリモートコントローラ３との間で操作信号Ｓ５ｂおよび点灯制御信号Ｓ６ｂを赤外線通信によって送受信する構成を例に挙げて説明したが、無線通信や有線通信等の各種の通信手段によって両者間の通信を可能に構成することができる。
【００３２】
【発明の効果】
以上のように、本発明に係るプロジェクタによれば、制御部が、各操作ボタンのうちから所定の条件を満たす操作ボタンを特定して、特定した操作ボタンに対応して配設された操作ボタン案内用点灯手段を点灯させることにより、
暗闇の中であっても操作に必要な操作ボタンの位置を正確かつ容易に認識させることができる。これにより、各種映像の投射表示に必要な各種の設定操作を暗闇の中であっても容易に行うことができる。
【００３３】
また、本発明に係るプロジェクタによれば、電源投入時点から映像投射表示の開始までの間において制御部が次に操作されるべき操作ボタンを順に特定して各操作ボタンに対応して配設された操作ボタン案内用点灯手段をその操作されるべき順序に従って点灯させることにより、プロジェクタの操作に不慣れな者であっても暗闇の中において迅速かつ容易に各種の設定操作を実行することができる。
【００３４】
さらに、本発明に係るプロジェクタによれば、制御部が、所定の条件を満たす操作ボタンを特定した際に、第１および第２の操作部における特定した各操作ボタンに対応して配設された各操作ボタン案内用点灯手段を点灯させることにより、本体部に配設された第１の操作部のみならず、第２の操作部を操作することによる設定操作を暗闇の中であっても容易に行うことができる。したがって、オペレータが本体部から遠く離れていたとしても第２の操作部を用いて設定操作を容易に行うことができるため、プロジェクタの利便性を飛躍的に向上させることができる。
【図面の簡単な説明】
【図１】本発明の実施の形態に係るプロジェクタ１の構成を示すブロック図である。
【図２】プロジェクタ１を上方から示す平面図である。
【図３】プロジェクタ本体２における操作部１５のボタン配列図である。
【図４】プロジェクタ１におけるリモートコントローラ３の構成を示すブロック図である。
【図５】リモートコントローラ３における操作部４５のボタン配列図である。
【図６】プロジェクタ１の主制御部１７によって実行される初期設定時ボタン操作案内処理６０のフローチャートである。
【符号の説明】
１  プロジェクタ
２  プロジェクタ本体
３  リモートコントローラ
１５，４５  操作部
１７  主制御部
１８  記憶部
３１，５１  ランプＯＮボタン
３２，５２  ソース切替ボタン
３３，５３  フォーカスボタン
３４、５４  キーストーンボタン
３５，５５  メニューボタン
３６ａ〜３６ｄ，５６ａ〜５６ｄ  カーソル移動ボタン
３７，５７  ＯＫボタン
３８，５８  キャンセルボタン
４７  制御部
６０  初期設定時ボタン操作案内処理
Ｄ  操作手順データ
Ｓ５ａ，Ｓ５ｂ  操作信号
Ｓ６ａ，Ｓ６ｂ  点灯制御信号
【図１】
2004151658.tif 000003
【図２】
2004151658.tif 000004
【図３】
2004151658.tif 000005
【図４】
2004151658.tif 000006
【図５】
2004151658.tif 000007
【図６】
2004151658.tif 000008